(57)【要約】      （修正有）【課題】  本発明は、ピクセルセル及び隔壁を改善して視覚的に感じる混色性を改善して同時に画面がぼける現象を抑制してシャープネスを促進することができるプラズマディスプレイパネルを提供する。また、輝度及びコントラスト特性を促進することができるプラズマディスプレイパネルを提供することを目的とする。【解決手段】  本発明によるプラズマディスプレイパネルは、複数のサブピクセルを区切る第１隔壁と、前記複数のサブピクセルが一つの単位ピクセルを成して隣接された単位ピクセルと境界を成して区画されるように形成された第２隔壁とを含み、前記単位ピクセルを区切る第２隔壁の幅が前記複数のサブピクセルを区切る第１隔壁の幅よりさらに広く形成されて、前記複数のサブピクセルの中で中央部に位置したサブピクセルは青色サブピクセルであることを特徴とする。【選択図】図３ａ
2006080070.tif 000002
【特許請求の範囲】
【請求項１】
複数のサブピクセルを区画する第１隔壁と、
前記複数のサブピクセルが一つの単位ピクセルを成しており、隣接する単位ピクセル間を区画するように形成された第２隔壁とを含み、
前記単位ピクセルを区切る第２隔壁の幅が前記複数のサブピクセルを区画する第１隔壁の幅より広く形成されて、前記複数のサブピクセルの中で中央部に位置したサブピクセルは青色サブピクセルであることを特徴とするプラズマディスプレイパネル。
【請求項２】
前記第１隔壁または第２隔壁の中で少なくとも一つの隔壁上部に黒色物質層が形成されることを特徴とする、請求項１記載のプラズマディスプレイパネル。
【請求項３】
前記第２隔壁の幅は、前記第１隔壁の幅に対して１．２倍以上〜１２倍以下であることを特徴とする、請求項１記載のプラズマディスプレイパネル。
【請求項４】
前記第１隔壁と第２隔壁によって形成された放電セル構造は、ストライプタイプ、 ウェルタイブ、デルタタイプ、蜂の巣タイプの中で少なくともいずれかひとつであることを特徴とする、請求項１記載のプラズマディスプレイパネル。
【請求項５】
前記単位ピクセルは、赤色、青色、緑色の順序に配列された複数のサブピクセルからなることを特徴とする、請求項１記載のプラズマディスプレイパネル。
【請求項６】
前記サブピクセルはストライプ型の隔壁によって区画されており、
前記第１隔壁は、前記赤色サブピクセルと前記青色サブピクセルとの間を区画すると共に、前記青色サブピクセルと前記緑色サブピクセルの間を区画するストライプ隔壁であり、
前記第２隔壁は、互いに隣り合う単位ピクセルにそれぞれ含まれる前記赤色サブピクセルと前記緑色サブピクセルとの間に形成されたストライプ隔壁であることを特徴とする、 請求項５記載のプラズマディスプレイパネル。
【請求項７】
前記サブピクセルは、格子型の隔壁に区画されており、前記第１隔壁は前記赤色サブピクセルと前記青色サブピクセルとの間を区画し、前記青色サブピクセルと前記緑色サブピクセルとの間を区分する縦隔壁であり、
前記第２隔壁は、互いに隣り合う単位ピクセルにそれぞれ含まれる前記赤色サブピクセルと前記緑色サブピクセル前記赤色サブピクセルと前記緑色サブピクセルとの間に形成された縦隔壁と、前記単位ピクセルの上下に位置した単位ピクセルと区画される横隔壁であることを特徴とする、請求項５記載のプラズマディスプレイパネル。
【請求項８】
複数のサブピクセルを区画する第１隔壁と、前記複数のサブピクセルが一つの単位ピクセルを成しており、隣接する単位ピクセル間を区画する、前記第１隔壁の幅よりさらに広い第２隔壁と、を備える背面基板と、
ブラックマトリクスを備える前面基板を含み、
前記複数のサブピクセルの中で中央部に位置したサブピクセルは青色サブピクセルであることを特徴とするプラズマディスプレイパネル。
【請求項９】
前記第１隔壁または第２隔壁の中で少なくとも一つの隔壁は白色物質を含むことを特徴とする、請求項８記載のプラズマディスプレイパネル。
【請求項１０】
前記第１隔壁または前記第２隔壁の上部に黒色層が形成されることを特徴とする、請求項８記載のプラズマディスプレイパネル。
【請求項１１】
前記ブラックマトリクスは第２隔壁に対応されるように形成されることを特徴とする、請求項８記載のプラズマディスプレイパネル。
【請求項１２】
前記第２隔壁の幅は前記第１隔壁の幅に対して１．２倍以上〜１２倍以下であることを特徴とする、請求項８記載のプラズマディスプレイパネル。
【請求項１３】
前記第１隔壁と第２隔壁によって形成された放電セル構造は、ストライプタイプ、 ウェルタイブ、 デルタタイプ、 蜂の巣タイプの中で少なくともいずれのひとつであることを特徴とする、 請求項８記載のプラズマディスプレイパネル。
【請求項１４】
複数のサブピクセルを区画する第１隔壁と、
前記複数のサブピクセルが一つの単位ピクセルを成しており、隣接する単位ピクセル間を区画する前記第１隔壁の幅よりさらに広く形成された第２隔壁とを含み、
前記第１隔壁と第２隔壁は何れも黒色物質からなり、前記複数のサブピクセルの中で中央部に位置したサブピクセルは青色サブピクセルであることを特徴とするプラズマディスプレイパネル。
【請求項１５】
前記第２隔壁の幅は前記第１隔壁の幅に対して１．２倍以上〜１２倍以下であることを特徴とする、請求項１４記載のプラズマディスプレイパネル。
【請求項１６】
前記第１隔壁と第２隔壁によって形成された放電セル構造はストライプタイプ、 ウェルタイブ、 デルタタイプ、 蜂の巣タイプの中で少なくともいずれかであることを特徴とする、 請求項１４記載のプラズマディスプレイパネル。
【発明の詳細な説明】
【技術分野】
【０００１】
本発明はプラズマディスプレイパネルに関する。
【背景技術】
【０００２】
一般的に、プラズマディスプレイパネル(Plasma Display Panel)は、He＋ＸｅまたはNe＋Ｘｅ不活性混合ガスの放電の時発生する１４７nmの紫外線によって蛍光体を発光させることで、文字またはグラフィックを含んだ画像を表示する。
【０００３】
図１は一般的な３電極交流面放電型プラズマ表示パネルの構造を示す斜視図である。図１を参照すれば、３電極交流面放電型プラズマ表示パネルは、上部基板１０上に形成されたスキャン/サステイン電極１１及び共通サステイン電極１２と、下部基板２０上に形成されたアドレス電極２２とを備える。
【０００４】
スキャン/サステイン電極１１と共通サステイン電極１２それぞれは、透明電極(１１ａ、 １２ａ)及びバス電極(１１ｂ、 １２ｂ)を含む。透明電極(１１ａ、 １２ａ)は、インジウムティンオキサイド(Indium-Tin-Oxide ：ＩＴＯ)で形成される。バス電極(１１ｂ、 １２ｂ)は、抵抗を減らすための金属で形成される。スキャン/サステイン電極１１と共通サステイン電極１２が形成された上部基板１０には、上部誘電体層１３ａと保護膜１４が積層される。上部誘電体層１３ａには、プラズマ放電の時発生された壁電荷が蓄積される。保護膜１４は、プラズマ放電の時発生されたスパッタリング（ｓｐｕｔｔｅｒｉｎｇ）による上部誘電体層１３ａの損傷を防止することと同時に、２次電子の放出效率を高める。保護膜１４は、通常、酸化マグネシウム（ＭｇＯ）で形成される。
【０００５】
一方、アドレス電極２２が形成された下部基板２０上には、下部誘電体層１３Ｂ、隔壁２１が形成される。下部誘電体層１３Ｂと隔壁２１の表面には蛍光体層２３が塗布される。アドレス電極２２は、スキャン/サステイン電極１１及び共通サステイン電極１２と交差される方向に形成される。隔壁２１は、アドレス電極２２並んで形成されて、放電によって生成された紫外線及び可視光が隣接した放電セルに漏洩することを防止する。蛍光体層２３は、プラズマ放電の時発生された紫外線によって励起されて、赤色、緑色または青色の中でいずれの一つの可視光線を発生する。上/下部基板(１０、２０)と隔壁２１の間に用意された放電セルの放電空間には、放電のためのＨｅ＋ＸｅまたはＮｅ＋Ｘｅなどの不活性混合ガスが注入される。
【０００６】
図２ａ及び図２ｂは従来のＰＤＰの放電セル構造の例を示す。図２ａは、隔壁がストライブタイプ（Ｓｔｒｉｐｅ  Ｔｙｐｅ）の放電セル構造であり、図２ｂは、隔壁がウェルタイプ（Ｗｅｌｌ  Ｔｙｐｅ）の放電セル構造である。図示すように、前記のような放電セル構造を持つ従来のＰＤＰのサブピクセル(１０１ａ、１０１ｂ、１０１ｃ)は、Ｒ、Ｇ、Ｂ各色を出す蛍光体の分離のために隔壁２１が形成される。このようなサブピクセル(１０１ａ、 １０１ｂ、 １０１ｃ)は、Ｒ、Ｇ、Ｂサブピクセルが集まって隔壁２１を境界として単位ピクセル１０１を成して、前記単位ピクセルも隔壁２１を境界に隣接された単位ピクセルと一定形状に配置されて画像を表現する。
【０００７】
前記のような放電セル構造を持つＰＤＰに於いて、隔壁は、サブピクセルあるいは単位ピクセルの間の電気的、光学的クロストーク（Ｃｒｏｓｓｔａｌｋ）を防止する役目をする。隔壁は、ＰＤＰの表示品質と発光効率の特性を調節するのに一番重要な要素である。
【０００８】
従来ＰＤＰに形成された隔壁は、単位ピクセルを区切る隔壁の幅(ａ)と、前記単位ピクセルを構成するＲ、Ｇ、Ｂサブピクセルの間の境界を隔てる隔壁の幅(ｂ)が等しく形成されている。このような構造は、単位ピクセルそれぞれが発光してこれを混合して画像が表現されるＰＤＰにおいて、隣接された単位ピクセルの色による混色性特性が良くない問題点がある。すなわち、サブピクセルの間に形成された隔壁の幅と単位ピクセルの間に形成された隔壁の幅が等しいことで、ＰＤＰ駆動の時に単位ピクセルの固有色が隣接された単位ピクセルの色によって混色特性が低下される結果をもたらすようになる。
【０００９】
また、従来の単位ピクセルを構成するサブピクセルの中で隣接した単位ピクセルに位置するサブピクセルの蛍光体色によって、画面がぼける現象が現われるようになる。このような現象はＰＤＰの解像度が増加するによってさらに深刻に現われるようになる。また、 従来ＰＤＰの隔壁は反射率が高くて、コントラスト特性が良くない問題点がある。
【発明の開示】
【発明が解決しようとする課題】
【００１０】
本発明の目的は、前記のような問題点を解決することを目的とし、より詳細には、ピクセルセル及び隔壁を改善して視覚的に感じる混色性を改善して、同時に画面がぼける現象を抑制して鮮明さ（シャープネス（ｓｈａｒｐｎｅｓｓ））を促進することができるプラズマディスプレイパネルを提供することにある。
【００１１】
また、本発明の他の目的は、単位ピクセル及び隔壁を改善して輝度及びコントラスト特性を促進することができるプラズマディスプレイパネルを提供するすることにある。
【課題を解決するための手段】
【００１２】
本発明の第１の特徴では、複数のサブピクセルを区画する第１隔壁と、前記複数のサブピクセルが一つの単位ピクセルを成しており、隣接する単位ピクセル間を区画するように形成された第２隔壁とを含み、前記単位ピクセルを区切る第２隔壁の幅が前記複数のサブピクセルを区画する第１隔壁の幅より広く形成されて、前記複数のサブピクセルの中で中央部に位置したサブピクセルは青色サブピクセルであることを特徴とする。
【００１３】
本発明の第２の特徴では、プラズマディスプレイパネルは、複数のサブピクセルを区画する第１隔壁と、前記複数のサブピクセルが一つの単位ピクセルを成しており、隣接する単位ピクセル間を区画する前記第１隔壁の幅よりさらに広い第２隔壁とを備える第１基板と、前記第２隔壁に対応されるように形成されたブラックマトリクスを備える第２基板を含み、前記複数のサブピクセルの中で中央部に位置したサブピクセルは青色サブピクセルであることを特徴とする。
【００１４】
本発明の第３の特徴では、プラズマディスプレイパネルは、複数のサブピクセルを区画する第１隔壁と、前記複数のサブピクセルが一つの単位ピクセルを成しており、隣接する単位ピクセル間を区画する前記第１隔壁の幅より広く形成された第２隔壁とを含む。前記第１隔壁と第２隔壁は何れも黒色物質からなる。また、前記複数のサブピクセルの中で中央部に位置したサブピクセルは青色サブピクセルであることを特徴とする。
【００１５】
前記第１隔壁または第２隔壁の中で少なくともいずれか一の隔壁上部に黒色物質層が形成されることを特徴とする。
【００１６】
前記第１隔壁または第２隔壁の中で少なくともいずれか一の隔壁は白色物質を含むことを特徴とする。
【００１７】
前記第２隔壁の幅は、前記第１隔壁の幅に対して１．２倍以上１２倍以下であることを特徴とする。
【００１８】
前記第１隔壁と第２隔壁によって形成された放電セル構造は、ストライプタイプ、ウェルタイブ、デルタタイプ、蜂の巣タイプの中で少なくともいずれかひとつであることを特徴とする。
【発明の効果】
【００１９】
本発明によれば、プラズマディスプレイパネル駆動の時、隣接する単位ピクセルとの混色を防止することができ、また、コントラスト特性を促進することができる效果がある。
【００２０】
また、プラズマディスプレイパネル駆動の時、画面がぼけることを防止して画面のシャープネスを促進することができる效果がある。
【発明を実施するための最良の形態】
【００２１】
以下では添付された図面を参照にして本発明の望ましい実施形態を詳しく説明する。
【００２２】
<第１実施形態>
図３ａ及び図３ｂは本発明の第１実施形態に係る図であり、プラズマディスプレイパネルの放電セル構造による隔壁構造を示す図である。すなわち、図３ａは、本発明のストライブタイプの放電セル構造による隔壁構造を示す図であり、図３ｂは本発明のウェルタイプの放電セル構造による隔壁構造を示す図である。
【００２３】
図示したように、 本発明によるプラズマディスプレイパネルの隔壁は、赤色(Ｒ)、青色(Ｂ)、緑色(Ｇ)の各サブピクセル(２０１ａ、２０１ｂ、２０１ｃ)を区画する第１隔壁３１と、前記三つの赤色(Ｒ)、 青色(Ｂ)、 緑色（Ｇ）のサブピクセルが一つの単位ピクセル２０１を成しており、隣接する単位ピクセルの間を区画する第２隔壁３１’とが背面基板に形成されて構成されている。この時、赤色(Ｒ)のサブピクセル２０１ａ、青色(Ｂ)のサブピクセル２０１ｂ、緑色(G)サブピクセル２０１ｃを区切る第１隔壁３１の幅をｂとし、単位ピクセル２０１を区切る第２隔壁３１’の幅をａとすると、第２隔壁の幅(ａ)は第１隔壁の幅(ｂ)よりさらに広く形成される。すなわち、単位ピクセルの間を境界を成す第２隔壁３１’の幅(ａ)がサブピクセル間の境界を成す第１隔壁３１の幅(ｂ)より広く形成される。第２隔壁３１’の幅(ａ)が第１隔壁の幅（ｂ）より広ければ広いほど、隣接した単位ピクセル間の色の混色を防止することができて良いが、第２隔壁３１’の幅(ａ)が第１隔壁の幅の一定倍より（１２倍より）大きくなるようになれば十分な解像度を具現しにくくなる。一方、第２隔壁３１’の幅(ａ)が第１隔壁の幅が第１隔壁３１の幅(ｂ)の一定倍（１．２倍）未満になると隣接した単位ピクセル間の色の混色を防止することができなくなる。従って、第２隔壁３１’の幅(ａ)を第１隔壁の幅に対して、１．２倍以上１２倍以下で形成させることが望ましい。
【００２４】
また、単位ピクセルを成すサブピクセルの構造は、プラズマディスプレイパネル駆動の時、画面のシャープネス（ｓｈａｒｐｎｅｓｓ）を促進するために青色(Ｂ)のサブピクセルが単位ピクセルの中央部に配置されるようにする。この時、中央部の青色(Ｂ)サブピクセルを除いた残りサブピクセルである赤色(Ｒ)と緑色(G)サブピクセルは、青色(Ｂ)サブピクセルを基準として左、右入れ替わっても良い。
【００２５】
一方、図３ａ及び図３ｂの本発明では、単位ピクセルを構成するサブピクセルは、赤色(Ｒ)、青色(Ｂ)、緑色（Ｇ）だけで示すが、色純度を高めるために単位ピクセルを赤色(Ｒ)、青色(Ｂ)、黄色（Ｙ）、緑色（Ｇ）や、赤色(Ｒ)、青色(Ｂ)、白色（Ｗ）、緑色（Ｇ）などのように４種以上のサブピクセルで構成することができる。この時にも、また青色(Ｂ)サブピクセルは単位ピクセルの中央部に配置される。
【００２６】
また、図面には示されていないが、第１隔壁３１または第２隔壁３１’中少なくとも何れかの一つの隔壁上部にコントラスト特性を促進するために黒色物質層が形成されることができる。
【００２７】
このような隔壁の形状は、本発明で示すストライブタイプ（Ｓｔｒｉｐｅ  Ｔｙｐｅ）及びウェルタイプ（Ｗｅｌｌ  Ｔｙｐｅ）の放電セル構造だけでなく、デルタタイプや蜂の巣タイプの放電セル構造にも適用可能である。このような隔壁は、サンドブラスト（Ｓａｎｄ  ｂｌａｓｔｉｎｇ）法だけでなくスクリーンプリンティング（Ｓｃｒｅｅｎ  ｐｒｉｎｔｉｎｇ）法、添加（Ａｄｄｉｔｉｖｅ）法及び感光性ペースト法の中で何れの一つを利用して製造しても良い。
【００２８】
このように、本発明の第１実施形態による隔壁構造を持つＰＤＰは、複数のサブピクセルの発光に組合された単位ピクセルの色が、隣接された単位ピクセルの色と空間的にさらに遠く離れるようになって、視覚的に感じる混色性を改善させることができるようになる。特に、色温度を落とす青色のサブピクセルが単位ピクセルの中央部に位置されることにより、プラズマディスプレイパネル駆動の時に画面がぼけることを防止することができる。
【００２９】
<第２実施形態>
図４ａ及び図４ｂは、本発明の第２実施形態に係る図であり、 プラズマディスプレイパネルの放電セル構造による隔壁構造及びブラックマトリクス構造を示す図である。すなわち、図４ａは本発明のストライブタイプの放電セル構造による隔壁構造及びブラックマトリクス構造を示す図であり、図４ｂは本発明のウェルタイプの放電セル構造による隔壁構造及びブラックマトリクス構造を示す図である。
【００３０】
図４ａ及び図４ｂに示す本発明によるプラズマディスプレイパネルの隔壁構造は、前述した第１実施形態の隔壁構造及び青色サブピクセルの位置と等しいので、これに対する説明は省略する。ただし、本発明によるプラズマディスプレイパネルの前面基板には、所定のパターンを持つブラックマトリクス１３ａ，１３ｂが形成される。ブラックマトリクス１３ａは、放電セル構造がストライブタイプかウェルタイプであるかに関係なく、第２隔壁３１’に対応される位置の前面基板に形成される。ただし、ストライブタイプの場合に図示すように、第１隔壁３１及び第２隔壁３１’と直交した方向でもブラックマトリクスが形成されることが望ましい。このようなブラックマトリクス１３ａは、上、下放電セルを区分する位置に形成される。この時、前面基板に形成されたブラックマトリクス１３によるＰＤＰ輝度低下を償うために、第１隔壁３１または第２隔壁３１’の中で少なくとも何れか一の隔壁は白色物質を含む。
【００３１】
場合によっては、すわなち、前面基板の光透過率によるコントラスト特性が低下される場合には、各サブピクセルを区切る第１隔壁３１と対応される位置の前面基板にブラックマトリクスが形成されることもできる。
【００３２】
このようなブラックマトリクスは、ブラックマトリクス材料のペーストを利用してスクリーン印刷法等に形成されて、 前記ペーストはクロム(Ｃｒ) などのような金属化合物や非金属化合物が利用される。ただし、前記ブラックマトリクス材料が金属化合物の場合、不透明性が良くて反射率を低減させてコントラスト特性を促進することができるが、前面基板に形成された複数の電極に電圧を印加してセル放電の時に前記電極を覆っている誘電体の絶縁破壊のような性質でブラックマトリクスに通電されてＰＤＰセルの誤放電を起こす問題点があるため非金属を使うことが望ましい。
【００３３】
このように、本発明の第２実施形態による隔壁構造及びブラックマトリクス構造を持つＰＤＰは、各単位ピクセルの発光による色の混色性を改善させる。同時に外部光及び内部透過光による反射率を低減させてコントラスト特性を促進することができる。また、第１実施形態と同じくプラズマディスプレイパネル駆動の時、画面がぼけることを防止することができる。
【００３４】
<第３実施形態>
図５ａ及び図５ｂは、本発明の第３実施形態に係る図であり、プラズマディスプレイパネルの放電セル構造による隔壁構造を示す図である。すなわち、図５ａは本発明のストライブタイプの放電セル構造による隔壁構造を示す図であり、図５ｂは本発明のウェルタイプの放電セル構造による隔壁構造を示す図である。
【００３５】
このように、本発明の第３実施形態による隔壁構造及びブラックマトリクス構造を持つＰＤＰは、各単位ピクセルの発光による色の混色性を改善させる。同時に外部光及び内部透過光による反射率を低減させてコントラスト特性を促進することができる。また、第１実施形態と同じくプラズマディスプレイパネル駆動の時、画面がぼけることを防止することができる。
【図面の簡単な説明】
【００３６】
【図１】一般的な３電極交流面放電型プラズマ表示パネルの構造を示す斜視図。
【図２】図２ａ及び図２ｂは従来のＰＤＰの放電セル構造を示す図。
【図３ａ】本発明の第１実施形態に係る図であり、プラズマディスプレイパネルの放電セル構造による隔壁構造を示す図。
【図３ｂ】本発明の第１実施形態に係る図であり、プラズマディスプレイパネルの放電セル構造による隔壁構造を示す図。
【図４ａ】本発明の第２実施形態に係る図であり、プラズマディスプレイパネルの放電セル構造による隔壁構造及びブラックマトリクス構造を示す図。
【図４ｂ】本発明の第２実施形態に係る図であり、プラズマディスプレイパネルの放電セル構造による隔壁構造及びブラックマトリクス構造を示す図。
【図５ａ】本発明の第３実施形態に係る図であり、プラズマディスプレイパネルの放電セル構造による隔壁構造を示す図である。
【図５ｂ】本発明の第３実施形態に係る図であり、プラズマディスプレイパネルの放電セル構造による隔壁構造を示す図である。
【符号の説明】
【００３７】
２０１  単位セル
２０１ａ〜２０１ｃ  Ｒ，Ｇ，Ｂサブピクセル
３１  第１隔壁
３２  第２隔壁
１３ａ，１３ｂ  ブラックマトリクス
【図１】
2006080070.tif 000003
【図２】
2006080070.tif 000004
【図３ａ】
2006080070.tif 000005
【図３ｂ】
2006080070.tif 000006
【図４ａ】
2006080070.tif 000007
【図４ｂ】
2006080070.tif 000008
【図５ａ】
2006080070.tif 000009
【図５ｂ】
2006080070.tif 000010